【手続補正書】
【提出日】平成21年1月5日(2009.1.5)
【手続補正１】
【補正対象書類名】特許請求の範囲
【補正対象項目名】全文
【補正方法】変更
【補正の内容】
【特許請求の範囲】
【請求項１】
撮影レンズ及び撮像素子を介して得られる被写体像を示すカラーの画像信号を取得する撮影装置において、
撮影装置の光源として使用される白色光を発光する白色発光ダイオードと、
前記白色発光ダイオードに電気エネルギーを供給する電源供給手段であって、電源の電圧を昇圧する昇圧手段と、前記昇圧手段によって昇圧された電圧によって電荷が充電されるコンデンサとを有する電源供給手段と、
ガイドナンバに基づいて前記白色発光ダイオードの発光量を決定する手段と、
前記コンデンサから前記白色発光ダイオードに電気エネルギーを供給して該白色発光ダイオードを発光させる発光制御手段であって、前記決定した発光量となるように前記白色発光ダイオードに供給する電気エネルギーを制御する発光制御手段と、
を備えたことを特徴とする撮影装置。
【請求項２】
前記撮像素子に蓄積される信号電荷の蓄積時間をシャッタゲートパルスによって制御する電子シャッタを有し、
前記発光制御手段は、シャッタレリーズに同期して前記白色発光ダイオードに電気エネルギーを供給することを特徴とする請求項１に記載の撮影装置。
【請求項３】
前記発光制御手段は、前記白色発光ダイオードの発光時間を制御することを特徴とする請求項１又は２に記載の撮影装置。
【請求項４】
前記白色発光ダイオードの発光時に該白色発光ダイオードから発光される白色光の色温度に基づいて前記カラーの画像信号のホワイトバランスを補正するオートホワイトバランス補正手段を備えたことを特徴とする請求項１から３のいずれかに記載の撮影装置。
【請求項５】
前記白色発光ダイオードの前面に移動自在に配設された複数のカラーフィルタと、
前記複数のカラーフィルタのうちから所望のカラーフィルタを前記白色発光ダイオードの前面に移動させることによって前記白色発光ダイオードから発光される光の色温度を制御する制御手段と、
を備えたことを特徴とする請求項４に記載の撮影装置。
【請求項６】
被写界の色温度を検出する色温度検出手段であって、前記白色発光ダイオードの発光時に該白色発光ダイオードから発光される白色光の色温度、又は前記カラーフィルタによって色温度が制御された光の色温度を検出する色温度検出手段を有し、
前記ホワイトバランス補正手段は、前記色温度検出手段によって検出された色被写界の色温度に基づいて前記カラーの画像信号のホワイトバランスを補正することを特徴とする請求項４又は５に記載の撮影装置。
【請求項７】
撮影前に前記色温度検出手段によって検出された１乃至複数の色温度を記憶する記憶手段と、
前記記憶手段に記憶された色温度の読出しを指示する指示手段と、を備え、
前記ホワイトバランス補正手段は、前記指示手段によって色温度が読み出されると、その読み出された色温度に基づいて前記カラーの画像信号のホワイトバランスを補正することを特徴とする請求項４又は５に記載の撮影装置。
【請求項８】
前記色温度検出手段は、被写界から入射する光から異なる色成分の光を電気信号に変換する複数の色温度検出素子を含み、前記複数の色温度検出素子の検出信号の比率に基づいて被写界の色温度を検出することを特徴とする請求項６又は７に記載の撮影装置。
【請求項９】
前記色温度検出手段は、前記撮像素子を介して得られる被写体像を示すカラーの画像信号に基づいて被写界の色温度を検出することを特徴とする請求項６又は７に記載の撮影装置。
【請求項１０】
前記白色発光ダイオードの周囲温度を検出する温度センサを備え、
前記発光制御手段は、前記温度センサによって検出された周囲温度に基づいて該周囲温度にかかわらず所望の発光量が得られるように前記白色発光ダイオードに電気エネルギーを供給することを特徴とする請求項１から９のいずれかに記載の撮影装置。
【手続補正２】
【補正対象書類名】明細書
【補正対象項目名】０００９
【補正方法】変更
【補正の内容】
【０００９】
前記目的を達成するために請求項１に係る発明は、撮影レンズ及び撮像素子を介して得られる被写体像を示すカラーの画像信号を取得する撮影装置において、撮影装置の光源として使用される白色光を発光する白色発光ダイオードと、前記白色発光ダイオードに電気エネルギーを供給する電源供給手段であって、電源の電圧を昇圧する昇圧手段と、前記昇圧手段によって昇圧された電圧によって電荷が充電されるコンデンサとを有する電源供給手段と、ガイドナンバに基づいて前記白色発光ダイオードの発光量を決定する手段と、前記コンデンサから前記白色発光ダイオードに電気エネルギーを供給して該白色発光ダイオードを発光させる発光制御手段であって、前記決定した発光量となるように前記白色発光ダイオードに供給する電気エネルギーを制御する発光制御手段と、を備えたことを特徴としている。
【手続補正３】
【補正対象書類名】明細書
【補正対象項目名】００１０
【補正方法】変更
【補正の内容】
【００１０】
請求項２に示すように請求項１に記載の撮影装置において、前記撮像素子に蓄積される信号電荷の蓄積時間をシャッタゲートパルスによって制御する電子シャッタを有し、前記発光制御手段は、シャッタレリーズに同期して前記白色発光ダイオードに電気エネルギーを供給することを特徴としている。
請求項３に示すように請求項１又は２に記載の撮影装置において、前記発光制御手段は、前記白色発光ダイオードの発光時間を制御することを特徴としている。
請求項４に示すように請求項１から３のいずれかに記載の撮影装置において、前記白色発光ダイオードの発光時に該白色発光ダイオードから発光される白色光の色温度に基づいて前記カラーの画像信号のホワイトバランスを補正するオートホワイトバランス補正手段を備えたことを特徴としている。
請求項４に係る発明では、光源として白色発光ダイオードのみを使用し、かつ白色発光ダイオードの色温度に基づいて画像信号のホワイトバランス補正を行うようにしている。
【手続補正４】
【補正対象書類名】明細書
【補正対象項目名】００１１
【補正方法】変更
【補正の内容】
【００１１】
請求項５に示すように請求項４に記載の撮影装置において、前記白色発光ダイオードの前面に移動自在に配設された複数のカラーフィルタと、前記複数のカラーフィルタのうちから所望のカラーフィルタを前記白色発光ダイオードの前面に移動させることによって前記白色発光ダイオードから発光される光の色温度を制御する制御手段と、を備えたことを特徴としている。
【手続補正５】
【補正対象書類名】明細書
【補正対象項目名】００１３
【補正方法】変更
【補正の内容】
【００１３】
請求項６に示すように請求項４又は５に記載の撮影装置において、被写界の色温度を検出する色温度検出手段であって、前記白色発光ダイオードの発光時に該白色発光ダイオードから発光される白色光の色温度、又は前記カラーフィルタによって色温度が制御された光の色温度を検出する色温度検出手段を有し、前記ホワイトバランス補正手段は、前記色温度検出手段によって検出された色被写界の色温度に基づいて前記カラーの画像信号のホワイトバランスを補正することを特徴としている。
【手続補正６】
【補正対象書類名】明細書
【補正対象項目名】００１４
【補正方法】変更
【補正の内容】
【００１４】
即ち、請求項６に係る撮影装置は、被写界の色温度に対応した色温度のストロボ光を発光し、ストロボ撮影時であっても被写界の色温度（即ち、被写界の色温度と同じ色温度の白色発光ダイオードから発光される白色光の色温度、又は前記カラーフィルタによって色温度が制御された光の色温度）に対応して画像信号のホワイトバランス補正を行うようにしている。被写界の色温度に応じてホワイトバランス補正が行われるため、良好なホワイトバランス補正を行うことができる。尚、従来の撮影装置の場合には、ストロボ撮影時には被写界の色温度にかかわらず、画像信号に対してストロボ光（デーライト）に応じた固定のホワイトバランス補正値によるホワイトバランス調整を行っている。
【手続補正７】
【補正対象書類名】明細書
【補正対象項目名】００１５
【補正方法】変更
【補正の内容】
【００１５】
請求項７に示すように請求項４又は５に記載の撮影装置において、撮影前に前記色温度検出手段によって検出された１乃至複数の色温度を記憶する記憶手段と、前記記憶手段に記憶された色温度の読出しを指示する指示手段と、を備え、前記ホワイトバランス補正手段は、前記指示手段によって色温度が読み出されると、その読み出された色温度に基づいて前記カラーの画像信号のホワイトバランスを補正することを特徴としている。
【手続補正８】
【補正対象書類名】明細書
【補正対象項目名】００１６
【補正方法】変更
【補正の内容】
【００１６】
即ち、請求項７に係る撮影装置は、マニュアルで設定された色温度に基づいて画像信号のホワイトバランス補正を行うようにしている。従来の撮影装置は、マニュアルホワイトバランスモードが設定されると、マニュアル補正されたホワイトバランスに対してストロボ光が影響しないようにストロボ発光を禁止させているが、請求項７に係る撮影装置は、マニュアルで色温度が設定されている場合でもストロボ発光を禁止せず、その設定された色温度に対応するホワイトバランス補正を行うようにしている。
【手続補正９】
【補正対象書類名】明細書
【補正対象項目名】００１７
【補正方法】変更
【補正の内容】
【００１７】
請求項８に示すように請求項６又は７に記載の撮影装置において、前記色温度検出手段は、被写界から入射する光から異なる色成分の光を電気信号に変換する複数の色温度検出素子を含み、前記複数の色温度検出素子の検出信号の比率に基づいて被写界の色温度を検出することを特徴としている。
【手続補正１０】
【補正対象書類名】明細書
【補正対象項目名】００１８
【補正方法】変更
【補正の内容】
【００１８】
請求項９に示すように請求項６又は７に記載の撮影装置において、前記色温度検出手段は、前記撮像素子を介して得られる被写体像を示すカラーの画像信号に基づいて被写界の色温度を検出することを特徴としている。
【手続補正１１】
【補正対象書類名】明細書
【補正対象項目名】００１９
【補正方法】変更
【補正の内容】
【００１９】
請求項１０に示すように請求項１から９のいずれかに記載の撮影装置において、前記白色発光ダイオードの周囲温度を検出する温度センサを備え、前記発光制御手段は、前記温度センサによって検出された周囲温度に基づいて該周囲温度にかかわらず所望の発光量が得られるように前記白色発光ダイオードに電気エネルギーを供給することを特徴としている。即ち、白色発光ダイオードは周囲温度によって光量が変動するが、白色発光ダイオードに供給する電気エネルギーを温度補正するようにしたため、発光量を安定させることができる。